(57)【要約】【課題】自分が乗っている列車の車両及び扉の位置を主として視覚障害者が簡単に把握できる位置情報表示を提供することにある。【解決手段】複数の車両の扉付近に取り付けられ、車両位置に対応する車両記号を表示するものにおいて、前記車両記号が、車両数と同数で車両の配列方向と同方向に配列した複数の突起であって、取り付け対象となる車両以外の車両に対応し、互いに同形同質の第一突起２と、取り付け対象となる車両に対応し、第一突起と異形又は異質の第二突起３からなり、更に好ましくは、扉位置に対応する扉記号が表示され、その扉記号が１車両当たりの扉数と同数で扉の配列方向と同方向に配列した複数の突起であって、表示対象となる扉以外の扉に対応し、互いに同形同質の第三突起４と、表示対象となる扉に対応し、第三突起と異形又は異質の第四突起５からなることを特徴とする。【選択図】図１
2004101583.tif 000002
【特許請求の範囲】
【請求項１】
複数の車両の扉付近に取り付けられ、車両位置に対応する車両記号を表示するものにおいて、
前記車両記号が、車両数と同数で車両の配列方向と同方向に配列した複数の突起であって、取り付け対象となる車両以外の車両に対応し、互いに同形同質の第一突起と、取り付け対象となる車両に対応し、第一突起と異形又は異質の第二突起からなることを特徴とする位置情報表示。
【請求項２】
更に、扉位置に対応する扉記号が表示され、その扉記号が１車両当たりの扉数と同数で扉の配列方向と同方向に配列した複数の突起であって、表示対象となる扉以外の扉に対応し、互いに同形同質の第三突起と、表示対象となる扉に対応し、第三突起と異形又は異質の第四突起からなる請求項１に記載の位置情報表示。
【発明の詳細な説明】
【０００１】
【発明の属する技術分野】
この発明は、触覚による現在乗車位置情報表示に属し、特に視覚障害者に好適に利用される位置情報表示に関する。
【０００２】
【従来の技術】
視覚障害者が自分の居る場所の情報を得る一つの手段に、点字表示板による案内の方法がある。点字表示板は、アルミニウムなどの金属板やプラスチックの板に半球状の突起を設けて、その配列により文字を表している。視覚障害者は、前記突起を指で触って点字を読み情報を得ている。
【０００３】
視覚障害者が列車に乗った時には、自分の乗った列車の車両位置及び扉位置を知る手段としても、点字による表示方法がなされている場合がある。この表示板は、通常、視覚障害者が列車に乗った場合に、手で触れやすい場所である列車の扉や扉付近の手摺などに取り付けられている。視覚障害者は、降車後エレベーターなどに向かう際方向を見失うことがないよう、前記のように取り付けられている点字表示板を指で触って点字を読み、自分が何両目の何番扉付近に居るのかを認知している。
【０００４】
【発明が解決しようとする課題】
しかし、全ての視覚障害者が点字を速く読めるわけではない。すなわち、点字を習得していないか、又は苦手な視覚障害者や、病気や怪我などで途中で視覚障害者になった人は、点字表示板があっても読めなかったり、読むのに時間がかかりすぎたりする。また、点字習得者においても、動いて揺れる列車の中で、点字を読むことは楽では無く、時間がかかる場合もある。又、健常者が点字の保守をおこなう場合、誤字発見やどの程度の傷みで交換すべきかという判断が困難といった問題があった。
更にまた、何号車であるかを把握できても、その号数が進行方向の前方から数えたものか後方から数えたものか判りにくいことが多い。
それ故、この発明の課題は、自分が乗っている列車の車両及び扉の位置を主として視覚障害者が簡単に把握できる位置情報表示を提供することにある。
【０００５】
【課題を解決するための手段】
上記課題を解決するために、この発明の位置情報表示は、
複数の車両の扉付近に取り付けられ、車両位置に対応する車両記号を表示するものにおいて、
前記車両記号が、車両数と同数で車両の配列方向と同方向に配列した複数の突起であって、取り付け対象となる車両以外の車両に対応し、互いに同形同質の第一突起と、取り付け対象となる車両に対応し、第一突起と異形又は異質の第二突起からなることを特徴とする。
この特徴を備えることにより、この発明の位置情報表示は、複数の同形同質の突起の中に異形又は異質の突起が挿入されているので、その異形又は異質の突起の挿入位置をもって、進行方向にかかわらず視覚障害者に車両位置を把握させることができる。
【０００６】
更に、好ましくは扉位置に対応する扉記号が表示され、その扉記号が１車両当たりの扉数と同数で扉の配列方向と同方向に配列した複数の突起であって、表示対象となる扉以外の扉に対応し、互いに同形同質の第三突起と、表示対象となる扉に対応し、第三突起と異形又は異質の第四突起からなることを特徴とする。これにより第四突起の挿入位置をもって扉位置も把握させることができる。
【０００７】
【発明の実施の形態】
−実施形態１−
この発明の実施の形態を図面に基づいて説明する。図１は、本発明車両表示板の実施形態１を示す正面図である。図２は、その平面図で、図３は、その底面図である。
この発明の実施形態１の車両表示板１は、列車の扉付近の円筒状の手摺６の表面を巻くように取り付けられている。車両表示板１は、列車の車両と車両表示板１に表されている車両記号ａ１とが対応するように、列車の進行方向と車両を表す突起の列が平行になるように取り付ける。以下、７両編成で各車両４枚扉を例にして説明する。
【０００８】
車両表示板１は、金属やプラスチックの薄い板又はフイルムで作られている。車両表示板１の表面には、車両位置を表す車両記号ａ１を構成する第一突起２と第二突起３、及び扉位置を表す扉記号ｂ１を構成する第三突起４と第四突起５が、形成されている。車両記号ａ１の表されている表面の上方には、「４号車」及び「２番ドア」の文字及び点字ｃが形成されている。車両位置を表すには、まず車両を表す一列の第一突起２及び第二突起３を合わせて車両の数（本例では７つ）だけ並べる。前記の場合、車両表示板１が取り付けられている車両と同じ位置にある第二突起３以外は、同じ形状の第一突起２を並べ、第二突起３だけを異形にする。この実施形態では、前記第一突起２の形状は正面視円状に、第二突起３の形状は正面視長円状に形成されている。
【０００９】
又、車両表示板１には、扉記号ｂ１を構成する第三突起４と第四突起５がその表面に形成されている。扉記号ｂ１は、その車両に備わっている扉の数と同じ数の突起を一列に並べ、上記車両記号と同様に、車両表示板１の取り付けてある付近の扉と同じ位置の第四突起５だけを異形にしてある。
すなわち、第三突起４の形状は縦棒状に、第四突起５の形状は横棒状に形成されている。そして、扉の位置を表す第四突起５は、車両の位置を表す第二突起３の真下に表示されて、視覚障害者が車両位置を認識した後、すぐに扉位置を認識できるように工夫してある。
【００１０】
車両表示板１によれば、点字で表していた車両の表示を上記のように記号化することにより、点字を読めない視覚障害者でも簡単に車両位置及び扉位置を知ることができる。また、「４号車」や「２番ドア」の文字を併記した場合でも、健常者も記号化された表示の意味がわかり、不自然さを感じることがない。又、点字ｃも併記することにより、車両表示板１に初めて触れた視覚障害者に車両表示板１の記号化された突起２〜５の意味を理解させることができ、次回から点字ｃを読まずに突起２〜５に触れるだけで車両位置及び扉位置を把握させることができる。
【００１１】
−実施形態２−
図４は、本発明品の実施形態２の車両表示板を示す正面図である。図５は、その平面図である。この発明の実施形態２の車両表示板１１は、列車の扉の内側又は扉付近内側の壁の表面に取り付けられる。車両表示板１１は、実施形態１と同様に、列車の車両と車両記号ａ２とが対応するように、列車の進行方向と車両を表す突起の列が平行になるように取り付けられている。
【００１２】
車両表示板１１は、金属またはプラスチックにより、平板状に作られている。又、車両表示板１１の表面上の車両を表す第一突起２１と第二突起３１及び扉を表す第三突起４１と第四突起５１は、突起自体の形状は全て同じ半球状で、車両と扉の位置を表す第二突起３１と第四突起５１は、その表面の質感だけを変えてある。第二突起３１と第四突起５１の表面には、微細な凹凸が均一に形成されていて、他の突起の表面は、滑らかに仕上げられている。微細な凹凸としては、例えば、なし地仕上げによるつや消し仕上げ等がある。他の構成は実施形態１と同じである。
【００１３】
車両表示板１１は、列車進行方向と平行な内壁の垂直面に取り付けられているので、円筒状の手摺に取り付けられている実施形態１と比べ、より車両方向及び扉方向がわかりやすい。又、車両を表す第二突起３１及び扉を表す第四突起５１は、第一突起２１及び第三突起４１と触感が違うため形状を確認する作業が要らず、視覚障害者が早く認識しやすい。
【００１４】
−実施形態３−
図６は、本発明品の実施形態３を示す車両表示板の展開図である。この発明の実施形態３の車両表示板１１１は、実施形態１と同様に、列車の扉付近の円筒状の手摺６の表面を巻くように取り付けられている。車両表示板１１１は、実施形態１と同様に、列車の車両と車両記号ａ３とが対応するように、列車の進行方向と車両を表す突起の列が平行になるように取り付けられている。
【００１５】
車両表示板１１１は、金属やプラスチックの薄い板又はフイルムで作られている。車両表示板１１１の表面上の車両を表す第一突起２１１の形状は半球状で、第二突起３１１だけが、半球状の突起を縦に三個並べた形状にしてある。そして、車両を表す車両記号ａ３である第一突起２１１と第二突起３１１は、列車の並びを平面的にイメージした車両と同数の印刷された方形をなす枠状の線の中に配置されている。その内最前列の枠状の線は、その進行方向前方に向かってまた最後尾の枠状の線は後方に向かって各々三角形状に変形して突き出ている。また、扉を表す扉記号ｂ３である第三突起４１１及び第四突起５１１も車両を表す印刷された枠状の線の中に配置されていて、その形状や配置は実施形態１と同じある。車両記号ａ３の表されている表面の上方には、「乗車車両の位置」の文字が形成され、扉記号ｂ３の表されている表面の下方には、「この扉の位置」の文字が形成されている。また、点字ｃの表されている表面の上方には、「目の不自由な方のための現在位置表示」の文字が形成されている。その他の構成は、実施形態１と同様である。
この実施形態の車両表示板１１１は、車両をイメージできる方形の線の中に車両及び扉を表す突起が配置され、かつ上記のような文字表記がなされているので、健常者でもその意味を容易に理解でき、視覚障害者支援ができる。
【００１６】
図７は、本発明品の車両表示板１、１１及び１１１が使用されている状態を示す使用状態図である。図示の便宜上、車両表示板１、１１及び１１１が四箇所に設置されているが、実際は一つの扉付近に一箇所又は二箇所の取り付けとなる。車両表示板１、１１及び１１１は、視覚障害者が指で触りやすい位置に設置されるのが良い。又、視覚障害者だけでなく、健常者にも見やすい位置に設置されるのが良い。なぜなら、この車両表示板１、１１及び１１１は、「４号車」及び「２番ドア」、又は「乗車車両の位置」及び「この扉の位置」の文字が併記されているため、健常者にもその意味がわかり、同伴の視覚障害者にその意味を教えて次回から視覚障害者単独で認識させることができるからである。
【００１７】
−実施形態４−
図８は、本発明品の実施形態４の車両表示板を示す正面図である。この実施形態４の車両表示板１１は、実施形態２と同じく列車の扉の内側又は扉付近内側の壁の表面に取り付けられる。本実施形態の車両表示板１１は、全体が実施形態２におけるように平板状であることと、点字ｃと車両記号ａ３との間に駅の設備配置を模した記号が設けられていることを除いて実施形態３と同一である。よって、実施形態３と対応する要素には同じ符号で図示することにより説明を省くこととし、これまでのいずれの実施形態でも触れられていない駅設備配置記号について以下に詳述する。
【００１８】
駅設備配置記号としては、プラットホームを示す水平方向に長い直線Ｐ、ホーム両端の階段を示す折れ線Ｓ、エレベータの両扉を示す連結した２つの長方形Ｅｖ及びエスカレータを示す傾いた矢印Ｅｓが設けられ、いずれもその形状が第一突起２１１乃至第四突起５１１と同程度の高さの突起にて形成されている。
直線Ｐは車両記号ａ３と平行に且つ車両記号ａ３の長さより若干長く形成されている。折れ線Ｓ、長方形Ｅｖ及び矢印Ｅｓは、高さ方向については直線Ｐより少し天井よりの一定位置にあるが、水平方向については車両が各駅に到着する毎にその駅の設備状況に応じて自動的に移動可能に形成されている。図示の例では第二突起３１１の直ぐ上に矢印Ｅｓが配置され、二両後ろを示す第一突起２１１の直ぐ上に長方形Ｅｖが配置されている。従って、視覚障害者は列車がこの駅に到着したとき第二突起３１１に触れると同時に矢印Ｅｖにも触れることにより、降車すると直ぐにエスカレータを利用可能であること、並びに列車の進行方向後方に二両分歩けばエレベータも利用可能であることを認識することができる。
【００１９】
【発明の効果】
この発明によれば、車両位置及び扉位置が「〜号車」や「〜両目」という数で表現されているのではなく図形化されているので、自分が乗っている列車の車両及び扉の位置を進行方向にかかわらず視覚障害者に簡単にすばやくわからせることができるほか、健常者でも容易に理解できるため誤表示の防止や異常箇所の早期発見も可能になる。
【図面の簡単な説明】
【図１】実施形態１の車両表示板を示す正面図である。
【図２】図１のＡ−Ａ断面図である。
【図３】図１のＢ−Ｂ断面図である。
【図４】実施形態２の車両表示板を示す正面図である。
【図５】実施形態２の左側面図である。
【図６】実施形態３の車両表示板の展開図である。
【図７】本発明品の車両表示板が使用されている状態を示す使用状態図である。
【図８】実施形態４の車両表示板を示す正面図である。
【符号の説明】
１、１１、１１１　車両表示板
２、２１、２１１　第一突起
３、３１、３１１　第二突起
４、４１、４１１　第三突起
５、５１、５１１　第四突起
６　手摺
ａ１、ａ２、ａ３　車両記号
ｂ１、ｂ２、ｂ３　扉記号
ｃ　点字
【図１】
2004101583.tif 000003
【図２】
2004101583.tif 000004
【図３】
2004101583.tif 000005
【図４】
2004101583.tif 000006
【図５】
2004101583.tif 000007
【図６】
2004101583.tif 000008
【図７】
2004101583.tif 000009
【図８】
2004101583.tif 000010